(57)【要約】【課題】装身具を着用時と近い状態で任意の位置にディスプレイ可能な装身具のディスプレイ装置を提供する。【解決手段】装身具を着脱自在に装着可能な装身具装着面２ａを備えたディスプレイ部２と、ディスプレイ部２を保持するケース本体３とを備える。ディスプレイ部２は、軟質ポリウレタンフォームのような復元性のある多孔質材料で形成され、このディスプレイ部２の任意の位置に装身具のピンを差込装着することで装身具をディスプレイできるようになっている。【選択図】  図１
2015223206.tif 000002
【特許請求の範囲】
【請求項１】
装身具を着脱自在に装着する装身具装着面を備えたディスプレイ部と、前記ディスプレイ部を保持するケース本体とを備えてなり、
前記ディスプレイ部は、復元性のある多孔質材料で形成され、このディスプレイ部に前記装身具が差込装着可能に構成されていることを特徴とする装身具のディスプレイ装置。
【請求項２】
前記ディスプレイ部は、その装身具装着面が高さ方向の面を有していることを特徴とする請求項１に記載の装身具のディスプレイ装置。
【請求項３】
前記ディスプレイ部は、軟質ポリウレタンフォームで構成されていることを特徴とする請求項１または２に記載の装身具のディスプレイ装置。
【請求項４】
前記ディスプレイ部の装身具装着面は、黒色または灰色で構成されていることを特徴とする請求項１から３のいずれかに記載の装身具のディスプレイ装置。
【請求項５】
前記ケース本体は、前記ディスプレイ部を収容保持する凹陥部を備えてなり、この凹陥部に前記ディスプレイ部が収容されていることを特徴とする請求項１から４のいずれかに記載の装身具のディスプレイ装置。
【発明の詳細な説明】
【技術分野】
【０００１】
この発明は装身具のディスプレイ装置に関し、より詳細には、ピアスなどの装身具の陳列に適した装身具のディスプレイ装置に関する。
【背景技術】
【０００２】
従来、ピアスなどの装身具を店舗などで販売する場合、装身具を陳列用の台紙に取り付け、この状態で陳列棚に平置きしたり、あるいは、陳列用のバーなどに吊り下げて陳列している（たとえば、特許文献１参照）。
【先行技術文献】
【特許文献】
【０００３】
【特許文献１】特開２００７−１４７２０号公報の図７
【発明の概要】
【発明が解決しようとする課題】
【０００４】
しかしながら、このような従来の陳列方法には以下のような問題があり、その改善が望まれていた。
【０００５】
すなわち、陳列棚に平置きする方法では、装身具を寝かせた状態で陳列することになるので、たとえば、着用時に装飾部分が垂れ下がる態様の装身具（たとえば、チェーンピアスやドロップピアスなど）については、着用時とは異なる状態で陳列されることになり、ディスプレイ効果が十分でないという問題がある。
【０００６】
また、陳列用のバーなどに吊り下げる陳列方法では、着用時と似た状態で陳列されることから販売用のディスプレイとしての効果は十分であるが、台紙を取り外した状態で吊り下げることを予定していないことが多く、ユーザが自室などに装身具を陳列する方法としては適していなかった。
【０００７】
なお、ユーザ自身によるピアスの収納を兼ねたディスプレイ装置として、ピアス差込用の孔が多数開設されたいわゆるピアススタンドが存在するが、この種のピアススタンドはピアス差込用の孔の位置が固定されているため、ユーザの好みに合わせて任意の位置にピアスをディスプレイすることができなかった。
【０００８】
本発明は、このような問題点に鑑みてなされたものであって、その目的とするところは、装身具を着用時と近い状態で任意の位置にディスプレイ可能な装身具のディスプレイ装置を提供することにある。
【課題を解決するための手段】
【０００９】
上記目的を達成するため、本発明の請求項１に記載の装身具のディスプレイ装置は、装身具を着脱自在に装着する装身具装着面を備えたディスプレイ部と、上記ディスプレイ部を保持するケース本体とを備えてなり、上記ディスプレイ部は、復元性のある多孔質材料で形成され、このディスプレイ部に上記装身具が差込装着可能に構成されていることを特徴とする。
【００１０】
すなわち、この請求項１に係る装身具のディスプレイ装置では、装身具のディスプレイにあたり、装身具を復元性のある多孔質材料で形成されたディスプレイ部の装身具装着面に差込装着するようにしているので、装身具装着面の任意の位置に装身具を装着してディスプレイすることができるとともに、装身具を何度も繰り返し装着することができる。
【００１１】
また、本発明の請求項２に記載の装身具のディスプレイ装置は、請求項１に記載の装身具のディスプレイ装置において、上記ディスプレイ部は、その装身具装着面が高さ方向の面を有していることを特徴とする。
【００１２】
すなわち、この請求項２に係る装身具のディスプレイ装置では、装身具装着面が有する高さ方向の面に装身具を差込装着することで、ピアスなどの着用時に装飾部分が垂れ下がる態様の装身具を着用時と同じ状態でディスプレイすることができる。
【００１３】
また、本発明の請求項３に記載の装身具のディスプレイ装置は、請求項１または２に記載の装身具のディスプレイ装置において、上記ディスプレイ部は、軟質ポリウレタンフォームで構成されていることを特徴とする。
【００１４】
すなわち、この請求項３に係る装身具のディスプレイ装置では、ディスプレイ部が安価に入手可能な軟質ポリウレタンフォームで構成されているので、装置全体の製造コストを抑制でき、ディスプレイ装置を安価に提供することができる。
【００１５】
また、本発明の請求項４に記載の装身具のディスプレイ装置は、請求項１から３のいずれかに記載の装身具のディスプレイ装置において、上記ディスプレイ部の装身具装着面は、黒色または灰色で構成されていることを特徴とする。
【００１６】
すなわち、この請求項４に係る装身具のディスプレイ装置では、ディスプレイ部の装身具装着面が黒色または灰色で構成されているので、金色や銀色などの光沢を有する装身具を装身具装着面に装着した場合に、これら装身具とその背景となる装身具装着面のコントラストが強調され、装身具を見栄え良くディスプレイすることができる。
【００１７】
また、本発明の請求項５に記載の装身具のディスプレイ装置は、請求項１から４のいずれかに記載の装身具のディスプレイ装置において、上記ケース本体は、上記ディスプレイ部を収容保持する凹陥部を備えてなり、この凹陥部に上記ディスプレイ部が収容されていることを特徴とする。
【００１８】
すなわち、この請求項５に係る装身具のディスプレイ装置では、ケース本体の凹陥部に、復元性のある多孔質材料（たとえば、軟質ポリウレタンフォーム）で形成されたディスプレイ部が収容されるというシンプルな構造で装身具のディスプレイ装置が構成されるので、装置全体の製造コストを抑制でき、ディスプレイ装置を安価に提供することができる。
【発明の効果】
【００１９】
本発明によれば、装身具装着面の任意の位置に装身具を差込装着できるので、装身具の陳列にあたり、ディスプレイ効果の高い配置やユーザの好みに応じた配置で装身具をディスプレイすることができる。
【００２０】
また、装身具装着面が高さ方向の面を有することにより、ピアスなどの着用時に装飾部分が垂れ下がる態様の装身具を着用時と同じ状態でディスプレイすることもできる。
【図面の簡単な説明】
【００２１】
【図１】本発明に係る装身具のディスプレイ装置の外観構成の一例を示す斜視図である。
【図２】同装身具のディスプレイ装置の概略構成を示す縦断面図である。
【図３】同装身具のディスプレイ装置の他の実施形態を示す斜視図であって、図３（ａ）は壁掛けタイプのディスプレイ装置の一例を、図３（ｂ）は据え置きタイプのディスプレイ装置の一例をそれぞれ示している。
【図４】同装身具のディスプレイ装置の他の実施形態を示す斜視図であって、蓋つきタイプのディスプレイ装置の一例を示している。
【発明を実施するための形態】
【００２２】
以下、本発明の実施形態を図面に基づいて詳細に説明する。
実施形態１
図１は、本発明に係る装身具のディスプレイ装置（以下、単に「ディスプレイ装置」と称する。）の外観構成の一例を示している。このディスプレイ装置１は、ピアスを主とする装身具を陳列するための装置であって、図１は壁掛け／据え置き兼用タイプのディスプレイ装置を示している。
【００２３】
このディスプレイ装置１は、装身具を着脱自在に装着する装身具装着面２ａを備えたディスプレイ部２と、このディスプレイ部２を保持するケース本体３とを主要部として構成されている。
【００２４】
ディスプレイ部２は、ピアス、イヤリング、ブローチなど、着用に際してピン（針状または棒状の金具）を使用する装身具をディスプレイするための部位であって、装身具のピンを差込装着可能に構成されている。具体的には、このディスプレイ部２は、その全体が柔らかくて復元性のある多孔質材料で構成されており、その表面が装身具装着面２ａを形成し、この装身具装着面２ａの任意の位置に装身具のピンを差し込むことによって装身具を装身具装着面２ａ上に装着できるようになっている。つまり、装身具装着面２ａの任意の位置に装身具を装着することで装身具をディスプレイ部２にディスプレイできるようになっている。
【００２５】
ディスプレイ部２を構成する多孔質材料として、本実施形態では、軟質ポリウレタンフォームが用いられている。この軟質ポリウレタンフォームは、厚さ数ｃｍ程度（たとえば、２ｃｍ程度）の板状のウレタンフォーム材で構成されており、後述するケース本体３の凹陥部３ａに嵌合・装着されている。この軟質ポリウレタンフォームの凹陥部３ａへの嵌合にあたっては、凹陥部３ａの底部に接着剤を塗布するか、あるいは、凹陥部３ａの底部に両面接着シートを貼付しておき、これら接着剤または両面接着シートに軟質ポリウレタンフォームを接着させ、軟質ポリウレタンフォームがケース本体３から容易に脱落しないようにしておくのが好ましい。
【００２６】
また、本実施形態では、ディスプレイ部２を構成する多孔質材料として軟質ポリウレタンフォームを用いるが、これは軟質ポリウレタンフォームが安価かつ容易に入手できるからである。ちなみに、ディスプレイ部２の多孔質材料としては、装身具の着脱自在な装着が可能であれば、軟質ポリウレタンフォーム以外の多孔質材料を使用することも勿論可能である。
【００２７】
そして、本実施形態では、ディスプレイ部２に使用する軟質ポリウレタンフォームとして、少なくとも装身具装着面２ａが黒色または灰色のウレタンフォームが用いられている。これは、一般に装身具は金、銀などの貴金属やダイヤモンド、ルビーなどの宝石など、光沢を有する部位を備えて構成されているので、このような光沢を有する装身具を装身具装着面２ａに装着した際に、背景となる装身具装着面２ａとの対比において装身具の存在が強調されるように、換言すれば、装身具が見栄え良くディスプレイされるようにするためである。なお、装身具を見栄え良くディスプレイ可能であれば黒色または灰色以外の色彩を有するウレタンフォーム（たとえば、青色や赤色などウレタンフォーム）を使用することも勿論可能である。
【００２８】
ケース本体３は、上記ディスプレイ部２を保持するための凹陥部３ａを有する枠体であって、本実施形態では、図２に示すように、側面視においてＬ字状を呈する枠体で構成されている。なお、この枠体は、木製、金属製または樹脂材料などで構成されている。
【００２９】
具体的には、このケース本体３は、ディスプレイ装置１を据え置き型として使用する際に土台となる基台部３１と、基台部３１に対して高さ方向（縦向き）に配設される本体部３２とを主要部として構成されている。より詳細には、ケース本体３は、図１に示すように、ディスプレイ装置１を載置したときに水平方向に配置される基台部３１と、この基台部３１の一端から垂直方向に配置される本体部３２とで構成されており、基台部３１および本体部３２のそれぞれに凹状に窪んだ凹陥部３ａが形成され、これら基台部３１および本体部３２の凹陥部３ａに軟質ポリウレタンフォームが嵌合・収容されている。
【００３０】
すなわち、本体部３２の凹陥部３ａに収容された軟質ポリウレタンフォームは、装身具装着面２ａが高さ方向（縦向き）に配置されるとともに、基台部３１に収容された軟質ポリウレタンフォームは装身具装着面２ａが水平方向（横向き）に配置される。ここで、本体部３２および基台部３１の各装身具装着面２ａは、いずれも装身具のピンを差込装着可能であるが、基台部３１側の装身具装着面２ａには装身具を載置することによってディスプレイを行ってもよい。
【００３１】
なお、図２に示す例では、基台部３１側と本体部３２側の凹陥部３ａにそれぞれ別個の軟質ポリウレタンフォームが配置される構成、つまり、２枚の軟質ポリウレタンフォームを用いてＬ字状の装身具装着面２ａを構成する場合を示したが、側面視においてＬ字状を呈する１枚の軟質ポリウレタンフォームを用いて装身具装着面２ａを構成することも可能である。
【００３２】
そして、本実施形態では、ディスプレイ装置１は、壁掛け／据え置き兼用タイプとして構成されるので、本体部３２（図示例では本体部３２の上端部）に壁掛け用の掛止具４が備えられている。図示例では、この掛止具４として、壁などに備えられたフック（図示せず）などの吊下具と係合可能な環状の金具を備えた掛止具４を図示しているが、この掛止具４は壁掛け可能な構造を有するものであれば、他の態様（たとえば、本体部３２の左右両端に架け渡されたひも状の掛止具）であってもよく、その具体的な態様は適宜変更可能である。
【００３３】
しかして、このように構成されたディスプレイ装置１は、テーブルなどの平らな面上に据え置いて使用する場合（据え置き型として使用する場合）には、基台部３１を平らな面状に載置し、また、壁などに吊り下げて使用する場合（壁掛け型として使用する場合）には掛止具４を吊下具に係合させて使用する。
【００３４】
そして、装身具のディスプレイにあたっては、ディスプレイ装置１を載置、あるいは吊下げた状態で、ピアス、イヤリング、ブローチなどの装身具のピンを装身具装着面２ａの任意の位置に差込装着する。このとき、チェーンピアスやドロップピアスなどのように着用時に装飾部分が垂れ下がる態様の装身具は、本体部３２の装身具装着面２ａに装着することにより着用時と同じ状態（または着用時に近い状態）でディスプレイすることができる。
【００３５】
実施形態２
次に、本発明の第２の実施形態を図３（ａ）に基づいて説明する。
この図３（ａ）に示すディスプレイ装置１は、ケース本体３が本体部３２のみで構成された壁掛け専用タイプのディスプレイ装置の一例を示している。
【００３６】
具体的には、このディスプレイ装置１では、ケース本体３の本体部３２は、図示のように、その中央部に凹陥部３ａが形成され、この凹陥部３ａにディスプレイ部２を構成する軟質ポリウレタンフォーム材が収容される構造とされており、ディスプレイ部２は高さ方向の装身具装着面２ａのみで構成されている。
【００３７】
なお、その他の構成は上述した実施形態１に示すディスプレイ装置１と同様であるので、構成が共通する部分には同一の符号を付して説明を省略する。
【００３８】
しかして、この実施形態に示すディスプレイ装置１は、壁などに吊り下げて使用する。そして、装身具のディスプレイにあたっては、上述した実施形態１に示すディスプレイ装置１と同様に、装身具のピンを装身具装着面２ａの任意の位置に差込装着し、装身具を装身具装着面２ａ上にディスプレイする。これにより、チェーンピアスやドロップピアスなどのように着用時に装飾部分が垂れ下がる態様の装身具が着用時と同じ状態でディスプレイされる。
【００３９】
実施形態３
次に、本発明の第３の実施形態を図３（ｂ）に基づいて説明する。
この図３（ｂ）に示すディスプレイ装置１は、据え置き専用タイプのディスプレイ装置の一例を示している。
【００４０】
この実施形態に示すディスプレイ装置１は、本体部３２の外周をディスプレイ部２で覆った構成とされている。具体的には、基台部３１の凹陥部３ａの中央部から高さ方向に柱状の本体部３２（図示せず）を起立状態で配置するとともに、基台部３１の凹陥部３ａおよび本体部の周囲に軟質ポリウレタンフォーム材を配設している。
【００４１】
すなわち、このディスプレイ装置１では、実施形態１に示すディスプレイ装置１と同様に、本体部３２側の装身具装着面２ａが高さ方向（縦向き）に配置されるとともに、基台部３１側の装身具装着面２ａが水平方向（横向き）に配置されている。なお、本実施形態では、基台部３１を円形に構成した場合を示しているが、基台部３１は矩形やその他の形状で構成されていてもよい。また、本実施形態では、本体部３２（具体的には、本体部３２側の装身具装着面２ａ）を上端が先細りの円柱状に構成した場合を示したが、先細りでない柱状に構成したり、あるいは、四角柱など他の形状に構成してもよい。要は、本体部３２側の装身具装着面２ａが高さ方向に配置される構成であれば適宜変更可能である。
【００４２】
実施形態４
次に、本発明の第４の実施形態を図４に基づいて説明する。
この図４に示すディスプレイ装置１は、据え置き専用タイプのディスプレイ装置の他の一例を示しており、本実施形態では、ケース本体３が基台部３１とその蓋体５とで構成され、いわゆる宝石箱のような態様とされている。
【００４３】
具体的には、本実施形態では、基台部３１の凹陥部３ａにディスプレイ部２を構成する軟質ポリウレタンフォーム材が収容されるとともに、この基台部３１を開閉自在に覆う蓋体５が備えられている。蓋体５は、上方に窪んだ蓋側凹陥部５ａを有しており、蓋体５を閉じたときに、基台部３１の装身具装着面２ａと蓋体５との間に装身具を収容する空間が形成されるように構成されている。
【００４４】
しかして、このように構成されたディスプレイ装置１は、テーブルなどの平らな面上に据え置いて使用され、基台部３１の装身具装着面２ａの任意の位置に装身具を載置あるいは差込装着する。そして、装身具をディスプレイする際には蓋体５を開く一方、装身具を保管する際には蓋体５を閉じ、装身具にホコリがかかるのを防止する。
【００４５】
なお、上述した実施形態はあくまでも本発明の好適な実施態様を示すものであって、本発明はこれらに限定されることなくその範囲内で種々の設計変更が可能である。
【００４６】
たとえば、上述した実施形態１、２，４では、ケース本体３を矩形に構成した場合を示したが、ケース本体３の形状は実施形態３に示すような円形とするなど適宜設計変更可能である。
【００４７】
また、上述した実施形態４では、据え置き型のディスプレイ装置１に蓋体５を備えた構成を示したが、たとえば、実施形態２に示すような壁掛け型のディスプレイ装置１に蓋体５を備えるように構成することも可能である。
【００４８】
また、上述した実施形態では、本発明に係るディスプレイ装置１を用いてディスプレイする装身具として、ピアス、イヤリング、ブローチなどを例示したが、着用に際してピン（針状または棒状の金具）を使用する装身具であれば、他の態様の装身具についても勿論適用可能である。
【符号の説明】
【００４９】
１            ディスプレイ装置
２            ディスプレイ部
２ａ          装身具装着面
３            ケース本体
３ａ          凹陥部
４            掛止具
５            蓋体
【図１】
2015223206.tif 000003
【図２】
2015223206.tif 000004
【図３】
2015223206.tif 000005
【図４】
2015223206.tif 000006